【事件の表示】
　特願２０１４−　８７２６２「グラフィカルユーザインターフェースとの物理的相互作用を解釈するためのデバイス、方法及びコンピュータ可読媒体」拒絶査定不服審判事件〔平成２６年　９月１８日出願公開、特開２０１４−１７０５６８〕について、次のとおり審決する。
【結　論】
　本件審判の請求は、成り立たない。
【理　由】
第１．手続の経緯
　本願は、平成２２年１月２９日（パリ条約による優先権主張　２００９年１月２９日　米国、２００９年５月２６日　米国、２００９年７月１４日　米国）を国際出願日とする特願２０１１−５４８３３０号の一部を平成２６年４月２１日に新たな特許出願としたものであって、平成２７年６月１８日付けで拒絶理由が通知され、同年１０月１日付けで手続補正がなされたが、同年１１月４日付けで拒絶査定がなされ、これに対し、平成２８年３月１０日に拒絶査定不服審判の請求がなされ、同時に手続補正がなされたものである。
第２．平成２８年３月１０日付けの手続補正についての補正却下の決定
［補正却下の決定の結論］
　　平成２８年３月１０日付けの手続補正（以下、「本件補正」という。）を却下する。
　
［理由］
１．補正後の本願発明
　本件補正は、特許請求の範囲の請求項１を、
〈補正前の請求項１〉
「デバイスであって、
仮想物理的空間を含むグラフィカルユーザインターフェースを表示するべく構成されたディスプレイと、
前記仮想物理的空間とのユーザ相互作用を検出するべく構成されたセンサーと、
前記ディスプレイ及び前記センサーと通信するプロセッサと
を含み、前記プロセッサは、
前記ユーザ相互作用と関連付けられたデータを含むセンサー信号を前記センサーから受け取り、
前記仮想物理的空間の共有を要求する遠隔信号を遠隔デバイスから受け取り、
前記ユーザ相互作用に少なくとも部分的に基づいてコマンドを決定し、
前記コマンドに少なくとも部分的に基づいて実行されるべき機能を決定し、
前記機能を実行するべく構成されるデバイス。」
から、
〈補正後の請求項１〉
「デバイスであって、
仮想物理的空間を含むグラフィカルユーザインターフェースを表示するべく構成されたディスプレイと、
前記仮想物理的空間とのユーザ相互作用を検出するべく構成されたセンサーと、
前記ディスプレイ及び前記センサーと通信するプロセッサと
を含み、前記プロセッサは、
前記ユーザ相互作用と関連付けられたデータを含むセンサー信号を前記センサーから受け取り、
前記仮想物理的空間の共有を要求する遠隔信号を遠隔デバイスから受け取り、
前記ユーザ相互作用に少なくとも部分的に基づいてコマンドを決定し、
前記コマンドに少なくとも部分的に基づいて実行されるべき機能を決定し、
前記機能を実行するべく構成され
、
前記仮想物理的空間は、前記遠隔デバイスからの前記遠隔信号の受け取り前に前記グラフィカルユーザインターフェースに表示されてい
とする補正事項を含むものである。下線は、補正箇所を示す。
　上記補正事項は、補正前の請求項１に記載した発明を特定するために必要な事項である「仮想物理的空間」について、「前記遠隔デバイスからの前記遠隔信号の受け取り前に前記グラフィカルユーザインターフェースに表示されてい」ると限定するものであって、補正前の請求項１に記載された発明と補正後の請求項１に記載された発明の産業上の利用分野及び解決しようとする課題が同一であるから、特許法第１７条の２第５項第２号の特許請求の範囲の減縮を目的とするものに該当する。 
　また、特許法第１７条の２第３項、第４項に違反するところはない。　
　そこで、本件補正後の前記請求項１に記載された発明（以下、「本願補正発明」という。）が特許法第１７条の２第６項において準用する同法第１２６条第７項の規定に適合するか（特許出願の際独立して特許を受けることができるものであるか）について、以下に検討する。 　
２．引用発明
　原査定の拒絶理由に引用された特表２００６−５１８５０７号公報（以下、「引用文献」という。）には、次のア．〜ケ．のとおりの記載がある。下線は、注目箇所に当審が付した。
ア．
「【０００９】
　
ディスプレイに関して、ＰＣＣ装置は
ディスプレイは、装置を制御するために使用することが可能である。例えば、タッチスクリーンを追加することによって、オンスクリーンインタフェースによって装置を操作でき、また、スタイラスを用いても操作可能となる
イ．
「【００１６】
  本発明の原理によると、ポータブル装置内に格納されたコンテンツのアドホック共有のためのシステム及び方法が提供される。このシステムは、
単一のポータブル装置を、１つ以上の他のポータブル装置に接続するために通信リンクを確立する手段と、確立された通信リンクを介して接続されたユーザ間でのコンテンツ交換を容易にするよう接続されたユーザの各ポータブル装置の表示領域に可視化される共有空間を生成する手段と、共有空間におけるユーザコンテンツを表すアイテムの操作に応じて、通信リンクを介するユーザのポータブル装置への及び該ユーザのポータブル装置からのコンテンツの転送を制御することを各個々の接続されたユーザに可能にする手段を有する。
ウ．
「【００１８】
　ポータブルコンテンツコンテナ（ＰＣＣ）は、現在のＰＤＡのサイズのオーダの寸法を有するポータブルマルチメディアプレイヤにおける次のステップである。アイテムを交換する機能性が追加されたＰＣＣオーディオ／写真プレイヤのコンセプトは、ＰＣＣの１つの面と考えられるので、この機能性を図１に示す。図１を以下に説明する。特に、図１は、ＰＣＣ１２の環境１０を示し、ＰＣＣ１２は、デジタルカメラといった入力装置１４、１８と、Ａ／Ｖ再生装置１５と、バックアップ装置１９と、追加的に、２つのポータブル装置（ＰＣＣ）１２ａ、１２ｂ間の通信を有する。特に、各ＰＣＣ１２ａ、１２ｂは、ユーザのポケットに簡単に収まり、以下に説明する
オンスクリーンドラッグアンドドロップ操作のためのスタイラスが実装される軽量のポータブル装置である。
【００１９】
　ＰＣＣ１２ａ、１２ｂは、ワイヤレスでコンテンツを共有する機能性が追加されて、ポータブルマルチメディアプレイヤの継承者として考えられている。アドホック通信には、制限された範囲を有するＷｉＦｉ（商標）接続が好ましいが、他の短距離ワイヤレス通信規格を用いてもよい。更に、ユーザは、音楽又は写真を実際に交換する前に連絡を取ることを好むと考えられる。従って、本発明は、
コンテンツの交換に先行するフェースツーフェースの連絡、即ち、社会的接触を想定する。従って、ユーザは、接続する相手及びリンクを中断する時を決定できることによって自分が制御していると感じるよう「接続−交換−切断」の順序に従う。
【００２０】
　図２Ａに示す第１の使用シナリオ２０では、
２人のユーザ、及び、それぞれの装置１２ａ、１２ｂ間で交換されるコンテンツについての議論が、実際の共有の前に行われ、従って、これらのユーザは近い接触を有すると想定される。
エ．
「【００２６】
　
コンテンツアイテムの交換に関して、ユーザは、通信したい装置を指示しなければならない。
オ．
「【００２８】
　更に、
赤外線通信は、１つの装置から別の装置にデータをワイヤレス「送信する」よう使用可能な接続規格である。これは、送信器を受信器に向けることを必要とし、また、短距離内でのみ作動する
カ．
「【００３０】
　より具体的には、更に詳細に説明するように、物理的な接触も、鍵交換に使用され得る。例えば、各
ＰＣＣは、赤外線ポートが具備される。赤外線ポートを一直線上にし、ボタンを押すと、装置間の識別及び鍵交換が開始される。
【００３１】
　
グラフィカルユーザインタフェースに関して、交換されるべきコンテンツは、コンテンツが格納されている場所また行うことのできる動作に関してユーザに明らかなように表示される必要がある。
デスクトップメタファーに似たグラフィカルユーザインタフェースが達成される。全てのコンテンツアイテムが、アイコンによって表され、実際の物理的な対象物のように動かしたり取り扱ったりすることが可能であることが好適である。
スクリーン上の様々な場所は、物理的な空間にマッピングされ、それにより、ユーザ及びコンテンツアイテムは、仮想空間内を動き回る。
ドラッグアンドドロップによって空間から空間にアイテムを動かすことは、装置間でのコピー及び転送を開始する
キ．
「【００３４】
　図３Ａ乃至３Ｅには、「接続維持」された変形を示す。図３Ａに示す第１の実施例１００では、装置が近いプロキシミティ（１０センチメートル未満）に持ってこられると、リンクは自動的に確立される（図３Ａ１）。この実施例では、赤外線送信器は、近くのプロキシミティにいるユーザと自動的にリンクを確立するために数秒間おきに伝送し得る。或いは、図３Ｂ１に示す更なる実施例１０１では、
両方の装置１２ａ、１２ｂは互いに向けられ、ユーザは、装置が「近傍にある」（例えば、３０センチメートル内）にあるときに、「リンク」ボタン１７ａ、１７ｂを押す。この実施例では、ユーザは赤外線送信器をアクティブにして、リンクを確立する。
仮想共有空間７５が、コンテンツアイテムをその空間にドラッグすることによってコンテンツアイテムを共有するよう使用される。ドラッグすることによって、コンテンツアイテムは、もう１人の接続されたユーザに見えるようになる。
ク．
「【００３６】
　
図４Ａ乃至４Ｃにより詳細に示す「ポイントアンドリンク」コンセプトに関して、２つのユーザは会うと、それぞれ赤外線ポートが付けられた自分たちの装置１２ａ、１２ｂを互いに向け、同時に、「接続」ボタン１７ａ、１７ｂを押す（図４Ａ）。この動作は、偶然に別の装置に向けることによる望まない接続を阻止するよう近いプロキシミティにおいて行われなければならない。
接続が維持された状態の間に、ユーザは、アイテムを交換することができる。この状況では、「共有空間」７５が作成され、これは、両方のユーザが交換する情報を保持する（仮想）空間である。
接触後、空間７５が出現し、ここでは、ユーザは、アイコン９０として表されるコンテンツアイテムを自由に且つ安全に交換することができる。この空間に置かれるアイテム（アイコン）は、全ての接続されたユーザによってアクセス可能である。
図４Ｃに示すように、転送装置１２ａの個人空間２５ａからアイテム９５を共有空間７５にドラッグすることによって、そのアイテム９５がもう１つの転送受取装置１２ｂの共有空間上に見えるようにする。このアイテムは、もう１人のユーザによって、そのユーザの個人空間、例えば、空間２５ｂ内にドラッグされることが可能となる。
共有空間７５からアイテムを、転送受取装置の（転送受取装置に格納されたアイテムを含む）「個人」空間２５ｂにドラッグすることは、もう１つの装置からの転送を開始する。所有者以外の全ての接続されたユーザがアイテムをダウンロードすると、アイテムは、共有空間７５から消える。
ケ．
「【００４０】
　本発明の特徴は、少なくされた努力、例えば、一回の動作で他のユーザがコンテンツにアクセス可能にすることである。従って、図４Ａ乃至４Ｃ及び図６Ａ乃至６Ｃに関して説明した実施例に、
他の装置に格納されるアイテムの視覚化を可能にする第３の空間を追加することによって、アイテムを分配するときに所有者が必要とする努力を少なくし得る。ユーザは、共有空間にアイテムを置くことを依頼するのではなく、所有者の了解を得て、アイテムを自分自身でブラウズすることができる。
【００４１】
　従って、
図７に示すように、他の装置（図示せず）との接触を確立した後、共有空間７５と、相手側の装置のコンテンツを有する空間７９（相手側空間）が、ユーザ装置１２ａのＰＣＣディスプレイスクリーン１３に追加される。
【００４２】
　更に、格納されたコンテンツは私的な性質を有するので、誰もがアクセス可能であってはならないものと理解すべきである。この解決策は、全てのユーザに対して全員の努力を最小限にするが、プライバシー及びセキュリティは依然として維持されることを理解する。
【００４３】
　本願に記載するように、別の装置との接触が確立されると、接続がうまくいったか否か、及び、接続は誰に対して確立されたのかに関するフィードバックが供給される。このことは、接続されたユーザをスクリーン上に表示することによって実現される。接続されたユーザの表示は、彼らの名前をリストに表示するか、又は、図８に示すように、その存在をアイコン８８と共に示すことによって行われることが好適である。アイコン８８でユーザの存在を示すことは、ユーザが、スクリーン１３上でより空間をパーソナライズすることを可能にする。写真又はキャラクタ８９を用いて、ユーザを識別し得る。これは、少数のユーザが同時に接続される場合は十分である。従って、「空間」コンセプトがコンテンツを記憶場所に関連付けるのと同様に、ユーザアイコンの使用に関しても同じことが言える。つまり、接続されたユーザのアイコンは、このユーザのコンテンツを示す空間に関連付けられる。一貫性があるように、所有者自身の空間もアイコンを表示する。ユーザは、自分が、相手側の接続された装置上でどのように視覚化されているのかを理解することができる。１つの実施例では、アイコンは、空間との関係を示すために空間の境界に置かれる。つまり、接続が確立されると、相手側のユーザのユーザアイコンは、スクリーン上に、好適には、例えば、空間分離線である空間の境界において出現する。２人のユーザがいる状況では、両方のユーザは、相手側のユーザのアイコンを自分のスクリーン上で見る。」
ａ．
　段落【００１６】の記載によれば、引用文献には、「ポータブル装置であって、１つ以上の他のポータブル装置に接続するために通信リンクを確立する手段と、確立された通信リンクを介して接続されたユーザ間でのコンテンツ交換を容易にするよう接続されたユーザの各ポータブル装置の表示領域に可視化される共有空間を生成する手段と、共有空間におけるユーザコンテンツを表すアイテムの操作に応じて、通信リンクを介するユーザのポータブル装置への及び該ユーザのポータブル装置からのコンテンツの転送を制御することを各個々の接続されたユーザに可能にする手段とを備えるポータブル装置。」が記載されている。
ｂ．
　段落【０００９】，【００１８】の記載によれば、上記ａ．の「ポータブル装置」は、ディスプレイを備え、ディスプレイは、タッチスクリーンを有し、オンスクリーンインタフェースによりポータブル装置は操作されるものである。
ｃ．
　段落【００３１】の記載によれば、上記ａ．の「ポータブル装置」は、「コンテンツアイテムが、アイコンによって表示され、物理的な対象物のように動かしたり取り扱ったりすることが可能であり、ドラッグアンドドロップによって空間から空間にアイテムを動かすことにより、装置間でコピー及び転送を開始するグラフィカルユーザインタフェース」を有しており、該「空間」は「仮想空間」である。
ｄ．
　段落【００１９】，【００２０】，【００２６】，【００２８】，【００３０】，【００３４】，【００３６】の記載によれば、上記ａ．の「１つ以上の他のポータブル装置に接続するために通信リンクを確立する手段」は、「コンテンツの共有前にポータブル装置１２ａ、１２ｂの２人のユーザがそれぞれの装置間で交換されるコンテンツについて議論し、両方のポータブル装置１２ａ、１２ｂの赤外線ポートを互いに向かい合わせ、互いにリンクボタン１７ａ、１７ｂを押して赤外線送信機をアクティブにし、赤外線通信により、リンクを確立する手段」である。
ｅ．
　段落【００３４】，【００３６】の記載によれば、上記ａ．の「共有空間におけるユーザコンテンツを表すアイテムの操作に応じて、通信リンクを介するユーザのポータブル装置への及び該ユーザのポータブル装置からのコンテンツの転送」は、「仮想空間において、個人空間から共有空間にユーザコンテンツを表すアイテムをドラッグすることにより、そのアイテムがもう１つのポータブル装置１２ｂの共有空間上に見えるようになり、もう１人のユーザが、そのアイテムをそのユーザの個人空間にドラッグすることにより、コンテンツの転送」のことである。
ｆ．
　上記ａ．〜ｅ．によれば、引用文献には、
「ポータブル装置であって、
ディスプレイを備え、ディスプレイは、タッチスクリーンを有し、オンスクリーンインタフェースによりポータブル装置は操作されるものであり、
コンテンツアイテムが、アイコンによって表示され、物理的な対象物のように動かしたり取り扱ったりすることが可能であり、ドラッグアンドドロップによって仮想空間から仮想空間にアイテムを動かすことにより、装置間でコピー及び転送を開始するグラフィカルユーザインタフェースを有し、
コンテンツの共有前にポータブル装置１２ａ、１２ｂの２人のユーザがそれぞれの装置間で交換されるコンテンツについて議論し、両方のポータブル装置１２ａ、１２ｂの赤外線ポートを互いに向かい合わせ、互いにリンクボタン１７ａ、１７ｂを押して赤外線送信機をアクティブにし、赤外線通信により、リンクを確立する手段と、
確立された通信リンクを介して接続されたユーザ間でのコンテンツ交換を容易にするよう接続されたユーザの各ポータブル装置の表示領域に可視化される共有空間を生成する手段と、
仮想空間において、個人空間から共有空間にユーザコンテンツを表すアイテムをドラッグすることにより、そのアイテムがもう１つのポータブル装置１２ｂの共有空間上に見えるようになり、もう１人のユーザが、そのアイテムをそのユーザの個人空間にドラッグすることにより、コンテンツの転送を制御することを各個々の接続されたユーザに可能にする手段と、
を備えるポータブル装置。」の発明（以下、「引用発明」という。）が記載されている。
３．対比
　本願補正発明と引用発明とを対比する。
（１）引用発明の「ポータブル装置」は、本願補正発明と同様の「デバイス」ともいい得るものでる。
（２）引用発明の「ディスプレイ」は、「タッチスクリーンを有し、オンスクリーンインタフェースによりポータブル装置は操作され」、「コンテンツアイテムが、アイコンによって表示され、物理的な対象物のように動かしたり取り扱ったりすることが可能であり、ドラッグアンドドロップによって仮想空間から仮想空間にアイテムを動かすことにより、装置間でコピー及び転送を開始するグラフィカルユーザインタフェース」を有するから、引用発明の「ディスプレイ」は、本願補正発明の「仮想物理的空間を含むグラフィカルユーザインターフェースを表示するべく構成されたディスプレイ」に相当する。
　また、引用発明のグラフィカルユーザインタフェースは、仮想空間において、コンテンツを表すアイテムのユーザによるドラッグアンドドロップ操作をタッチスクリーンにより検出するものであり、タッチスクリーンは、センサーといえるから、引用発明の「タッチスクリーン」は、本願補正発明の「前記仮想物理的空間とのユーザ相互作用を検出するべく構成されたセンサー」に相当する。
（３）引用発明の「ポータブル装置」が、「プロセッサ」を備えていることは明らかであり、プロセッサがポータブル装置の各々の手段を制御することも明らかであるから、プロセッサが、「ディスプレイ」と「タッチスクリーン」と通信していることは明らかである。
　よって、引用発明は、本願補正発明と同様に「前記ディスプレイ及び前記センサーと通信するプロセッサ」を有しているといえる。
（４）引用発明の「タッチスクリーン」は、ユーザによるドラッグ等の操作による信号をプロセッサに送っていることは明らかであるから、引用発明は、本願補正発明と同様に、「プロセッサ」が「前記ユーザ相互作用と関連付けられたデータを含むセンサー信号を前記センサーから受け取」ることは明らかである。
（５）引用発明の「コンテンツの共有前にポータブル装置１２ａ、１２ｂの２人のユーザがそれぞれの装置間で交換されるコンテンツについて議論し、両方のポータブル装置１２ａ、１２ｂの赤外線ポートを互いに向かい合わせ、互いにリンクボタン１７ａ、１７ｂを押して赤外線送信機をアクティブに」することにより、赤外線信号を他のポータブル装置から受け取ることは、共有を要求するための信号を受け取っているといえるから、本願補正発明の「前記仮想物理的空間の共有を要求する遠隔信号を遠隔デバイスから受け取」ることとは、いずれも、「共有を要求する遠隔信号を遠隔デバイスから受け取」ることに相当し、当該受け取る動作をプロセッサが行うことは自明の事項である。
（６）引用発明における「仮想空間において、個人空間から共有空間にユーザコンテンツを表すアイテムをドラッグすることにより、そのアイテムがもう１つのポータブル装置１２ｂの共有空間上に見えるようになり、もう１人のユーザが、そのアイテムをそのユーザの個人空間にドラッグすることにより、コンテンツの転送を制御すること」は、タッチスクリーンに対するユーザの操作により、転送というコマンドの決定、機能の実行をしているといえるから、本願補正発明と同様に「前記ユーザ相互作用に少なくとも部分的に基づいてコマンドを決定し、前記コマンドに少なくとも部分的に基づいて実行されるべき機能を決定し、前記機能を実行する」ものといえ、当該動作は、プロセッサが行うことは明らかである。
（７）引用発明において、「個人空間」がリンク確立前に生成されていることは明らかである。
　したがって、本願補正発明と引用発明とは、次の一致点、相違点を有している。
［一致点］
「デバイスであって、
仮想物理的空間を含むグラフィカルユーザインターフェースを表示するべく構成されたディスプレイと、
前記仮想物理的空間とのユーザ相互作用を検出するべく構成されたセンサーと、
前記ディスプレイ及び前記センサーと通信するプロセッサと
を含み、前記プロセッサは、
前記ユーザ相互作用と関連付けられたデータを含むセンサー信号を前記センサーから受け取り、
共有を要求する遠隔信号を遠隔デバイスから受け取り、
前記ユーザ相互作用に少なくとも部分的に基づいてコマンドを決定し、
前記コマンドに少なくとも部分的に基づいて実行されるべき機能を決定し、
前記機能を実行するべく構成されるデバイス。」
［相違点１］
　「共有を要求する遠隔信号」が、本願補正発明では「仮想物理的空間」を共有するためのものであるのに対し、引用発明では「コンテンツ」を共有するためのものである点。
［相違点２］
　本願補正発明では、「仮想物理的空間は、前記遠隔デバイスからの前記遠隔信号の受け取り前に前記グラフィカルユーザインターフェースに表示されている」のに対し、引用発明では、「仮想空間」のうち、「個人空間」は通信リンクを確立する前に生成され、「共有空間」は通信リンクを確立した後に生成される点。
４．判断
　上記［相違点１］、［相違点２］について、検討する。
　引用文献の段落【００４０】、【００４１】には、図７に関連して、「他の装置に格納されるアイテムの視覚化を可能にする第３の空間を追加」し、「他の装置との接触を確立した後に、共有空間７５と、相手側の装置のコンテンツを有する空間７９（相手側空間）が、ユーザ装置１２ａのＰＣＣディスプレイスクリーン１３に追加され」、ユーザは、「所有者の了解を得て、アイテムを自分自身でブラウズすることができる」ことが記載されている。
　よって、引用文献には、通信リンクが確立される前に「ユーザ装置１２ａ」のディスプレイスクリーンに表示されていた「個人空間２５ａ」は、通信リンクの確立により共有され、相手側のユーザ装置１２ｂに「相手側の装置のコンテンツを有する空間７９（相手側空間）」として表示され、ユーザ装置１２ｂにおいてアイテムを操作可能となることが開示されており、このことは、通信リンクの確立後に他の装置と共有される個人空間２５ａは、通信リンクの確立前にディスプレイスクリーンに表示されていることを意味している。
　また、引用文献の段落【００４０】、【００４１】の記載によれば、仮想空間のうち、共有空間７５は、通信リンクの確立により、生成され、相手側の装置と共有され、仮想空間のうち、個人空間２５ａは、通信リンクの確立により、相手側の装置と共有されるから、引用発明において、通信リンクを確立するための赤外線通信の信号は、「仮想物理的空間の共有を要求する遠隔信号」ともいい得るものである。
　したがって、引用発明において、遠隔信号を仮想物理的空間の共有を要求するものとすること、また、「仮想物理的空間は、前記遠隔デバイスからの前記遠隔信号の受け取り前に前記グラフィカルユーザインターフェースに表示されている」ものとすることは当業者が容易に想到し得た事項である。
　以上判断したとおり、本願補正発明における上記相違点１，２に係る構成はいずれも当業者が容易に想到し得たものであり、また、各相違点を総合しても本願補正発明は当業者が想到することが困難なものとはいえない。
　そして、本願補正発明の作用効果も、引用文献の記載から当業者が予測できる範囲のものである。
　以上のとおり、本願補正発明は引用発明及び引用文献の記載に基づいて容易に発明をすることができたものであるから、特許法第２９条第２項の規定により、特許出願の際独立して特許を受けることができないものである。
　
５．むすび
　以上のとおり、本件補正は、特許法第１７条の２第６項の規定により準用する特許法第１２６条第７項の規定に違反するものであり、特許法第１５９条第１項において準用する同法第５３条第１項の規定により却下されるべきものである。
第３．本願発明について
１．本願発明
　平成２８年３月１０日付けの手続補正は上記のとおり却下されたので、本願の請求項１に係る発明（以下、「本願発明」という。）は、平成２７年１０月１日付けの手続補正書により補正された特許請求の範囲の請求項１に記載された事項により特定される、以下のとおりのものである。
「デバイスであって、
仮想物理的空間を含むグラフィカルユーザインターフェースを表示するべく構成されたディスプレイと、
前記仮想物理的空間とのユーザ相互作用を検出するべく構成されたセンサーと、
前記ディスプレイ及び前記センサーと通信するプロセッサと
を含み、前記プロセッサは、
前記ユーザ相互作用と関連付けられたデータを含むセンサー信号を前記センサーから受け取り、
前記仮想物理的空間の共有を要求する遠隔信号を遠隔デバイスから受け取り、
前記ユーザ相互作用に少なくとも部分的に基づいてコマンドを決定し、
前記コマンドに少なくとも部分的に基づいて実行されるべき機能を決定し、
前記機能を実行するべく構成されるデバイス。」
２．引用発明
　引用発明は、上記「第２．」の「２．引用発明」の欄に記載したとおりである。
３．対比・判断
　本願発明は、上記「第２」で検討した本願補正発明から、「仮想物理的空間」の限定事項である「前記遠隔デバイスからの前記遠隔信号の受け取り前に前記グラフィカルユーザインターフェースに表示されてい」るとの相違点２に係る構成を省いたものである。
　そうすると、本願発明の構成要件をすべて含み、構成要件を付加したものに相当する本願補正発明が、前記「第２」の「３．」ないし「４．」に記載したとおり、引用発明に基づいて、当業者が容易に発明をすることができたものであるから、本願発明も、同様の理由により、引用発明に基づいて、当業者が容易に発明をすることができたものである。
４．むすび
　以上のとおり、本願発明は、引用発明に基づいて、当業者が容易に発明をすることができたものであるから、特許法第２９条第２項の規定により特許を受けることができない。
　したがって、本願は、他の請求項について検討するまでもなく、拒絶されるべきものである。 
　よって、結論のとおり審決する。